(57)【要約】  【課題】  任意の画像形成装置と組み合わせて利用する場合であっても、当該画像形成装置における無駄な電力消費を防止することのできる画像読取装置および画像形成装置の制御方法を提供する。  【解決手段】  画像形成装置３０を節電状態に移行させる節電移行条件が成立した際に、装置状態取得部２５が画像形成装置３０から状態情報を取得し、節電制御部２６が。当該状態情報に基づいて画像形成装置３０の節電状態への移行の可否を判断し、節電状態への移行が可能な場合に、給電部２８による画像形成装置３０への電力の供給を停止させる。【選択図】        図２
2007060374.tif 000002
【特許請求の範囲】
【請求項１】
印刷要求に基づいて印刷処理を実行する画像形成装置と組み合わせて複写処理の実行が可能な画像読取装置において、
画像形成装置に電力を供給する給電手段と、
前記画像形成装置を節電状態へ移行させる節電移行条件の成立を検出する条件検出手段と、
前記画像形成装置から該画像形成装置の状態を示す状態情報を取得する状態情報取得手段と、
前記条件検出手段が前記節電移行条件の成立を検出した際に、前記状態情報取得手段に状態情報を取得させ、該状態情報に基づいて前記画像形成装置の節電状態への移行の可否を判断し、前記画像形成装置の節電状態への移行が可能な場合に、前記給電手段による前記画像形成装置への電力の供給を停止させる節電制御手段と
を具備することを特徴とする画像読取装置。
【請求項２】
前記画像形成装置に対する要求を検出する要求検出手段をさらに具備し、
前記節電制御手段は、前記画像形成装置への電力の供給を停止している状態で、前記要求検出が前記画像形成装置に対する要求を検出した場合に、前記給電手段による前記画像形成装置への電力の供給を再開させる
ことを特徴とする請求項１記載の画像読取装置。
【請求項３】
前記画像形成装置に対する要求を検出する要求検出手段をさらに具備し、
前記節電制御手段は、前記画像形成装置への電力の供給を停止している状態で、前記要求検出が前記画像形成装置に対する印刷要求を検出した場合に、前記給電手段による前記画像形成装置への電力の供給を再開させる
ことを特徴とする請求項１記載の画像読取装置。
【請求項４】
前記状態情報取得手段が取得した状態情報を保持する状態情報保持手段と、
前記状態情報保持手段が保持する状態情報を提示する状態情報提示手段と
をさらに具備し、
前記情報提示手段は、前記画像形成装置への電力の供給を停止している状態で、前記要求検出が前記画像形成装置に対する状態情報通知要求を検出した場合に、前記画像形成装置に代えて前記状態情報保持手段が保持する状態情報を提示する
ことを特徴とする請求項３記載の画像読取装置。
【請求項５】
印刷要求に基づいて印刷処理を実行する画像形成装置への給電を制御する画像形成装置の制御方法であって、
条件検出手段が画像形成装置を節電状態へ移行させる節電移行条件の成立を検出した際に、状態情報取得手段が前記画像形成装置の状態情報を取得し、節電制御手段が、該状態情報に基づいて前記画像形成装置の節電状態への移行が可能と判断した場合に、給電手段による前記画像形成装置への電力の供給を停止させることを特徴とする画像形成装置の制御方法。
【請求項６】
前記画像形成装置への電力の供給を停止している状態で、要求検出が前記画像形成装置に対する要求を検出した場合に、前記給電手段による前記画像形成装置への電力の供給を再開させることを特徴とする請求項５記載の画像形成装置の制御方法。
【請求項７】
前記画像形成装置への電力の供給を停止している状態で、要求検出が前記画像形成装置に対する印刷要求を検出した場合に、前記給電手段による前記画像形成装置への電力の供給を再開させることを特徴とする請求項５記載の画像形成装置の制御方法。
【請求項８】
状態情報保持手段が前記状態情報取得手段が取得した状態情報を保持し、前記画像形成装置への電力の供給を停止している状態で、要求検出が前記画像形成装置に対する状態通知要求を検出した場合に、情報提示手段が、前記画像形成装置に代えて前記状態情報保持手段が保持する状態情報を提示することを特徴とする請求項７記載の画像形成装置の制御方法。
【発明の詳細な説明】
【技術分野】
【０００１】
本発明は、画像読取装置および画像形成装置の制御方法に関し、特に、画像読取装置と画像形成装置を接続して複写処理を実現する際に画像形成装置の電源を制御する画像読取装置および画像形成装置の制御方法に関する。
【背景技術】
【０００２】
近年、スキャナ等の画像読取装置やプリンタ等の画像形成装置は、高機能化や低価格化に伴って広く普及してきている。
【０００３】
また、最近では、画像読取装置や画像形成装置をコンピュータ等の情報処理装置の周辺装置として利用するだけでなく、両者を組み合わせて仮想的な複写装置として利用するといったことも行われるようになっている。
【０００４】
画像読取装置と画像形成装置を組み合わせて利用する場合、これらの機能にもよるが、単なる複写処理はもちろんのこと、変倍処理を含む複写処理など、複写装置で実行することのできるジョブの大半を処理することが可能となる場合が多い。
【０００５】
一方、画像読取装置と画像形成装置を組み合わせたとしても、これらの装置は、個別に設計されることが多いため、節電機能等のジョブ以外の処理については、単体の複写装置と同等の機能を実現できるとは言い難かった。
【０００６】
なお、ネットワークを介して接続された画像読取装置と画像形成装置において、画像読取装置から画像形成装置に対してコマンドを発行することにより、画像読取装置が画像形成装置の節電状態や電源の投入、遮断を制御することのできる技術も提案されている（例えば、特許文献１参照）。
【特許文献１】特開２００２−３３８６５号公報
【発明の開示】
【発明が解決しようとする課題】
【０００７】
ところで、画像読取装置と画像形成装置を組み合わせて利用することには、任意の装置を組み合わせることにより、機能や価格を調整することが可能となるといった利点を有することになる。
【０００８】
しかしながら、前述の特許文献１に記載された技術では、画像形成装置側に、画像読取装置から発行されたコマンドを解釈するための構成が必要となるため、画像読取装置に対して任意の画像形成装置を組み合わせることが困難となる場合がある。
【０００９】
そこで、本発明は、任意の画像形成装置と組み合わせて利用する場合であっても、当該画像形成装置における無駄な電力消費を防止することのできる画像読取装置および画像形成装置の制御方法を提供することを目的とする。
【課題を解決するための手段】
【００１０】
前述した目的を達成するため、請求項１の発明は、印刷要求に基づいて印刷処理を実行する画像形成装置と組み合わせて複写処理の実行が可能な画像読取装置において、画像形成装置に電力を供給する給電手段と、前記画像形成装置を節電状態へ移行させる節電移行条件の成立を検出する条件検出手段と、前記画像形成装置から該画像形成装置の状態を示す状態情報を取得する状態情報取得手段と、前記条件検出手段が前記節電移行条件の成立を検出した際に、前記状態情報取得手段に状態情報を取得させ、該状態情報に基づいて前記画像形成装置の節電状態への移行の可否を判断し、前記画像形成装置の節電状態への移行が可能な場合に、前記給電手段による前記画像形成装置への電力の供給を停止させる節電制御手段とを具備することを特徴とする。
【００１１】
また、請求項２の発明は、請求項１の発明において、前記画像形成装置に対する要求を検出する要求検出手段をさらに具備し、前記節電制御手段は、前記画像形成装置への電力の供給を停止している状態で、前記要求検出が前記画像形成装置に対する要求を検出した場合に、前記給電手段による前記画像形成装置への電力の供給を再開させることを特徴とする。
【００１２】
また、請求項３の発明は、請求項１の発明において、前記画像形成装置に対する要求を検出する要求検出手段をさらに具備し、前記節電制御手段は、前記画像形成装置への電力の供給を停止している状態で、前記要求検出が前記画像形成装置に対する印刷要求を検出した場合に、前記給電手段による前記画像形成装置への電力の供給を再開させることを特徴とする。
【００１３】
また、請求項４の発明は、請求項３の発明において、前記状態情報取得手段が取得した状態情報を保持する状態情報保持手段と、前記状態情報保持手段が保持する状態情報を提示する状態情報提示手段とをさらに具備し、前記情報提示手段は、前記画像形成装置への電力の供給を停止している状態で、前記要求検出が前記画像形成装置に対する状態情報通知要求を検出した場合に、前記画像形成装置に代えて前記状態情報保持手段が保持する状態情報を提示することを特徴とする。
【００１４】
また、請求項５の発明は、印刷要求に基づいて印刷処理を実行する画像形成装置への給電を制御する画像形成装置の制御方法であって、条件検出手段が画像形成装置を節電状態へ移行させる節電移行条件の成立を検出した際に、状態情報取得手段が前記画像形成装置の状態情報を取得し、節電制御手段が、該状態情報に基づいて前記画像形成装置の節電状態への移行が可能と判断した場合に、給電手段による前記画像形成装置への電力の供給を停止させることを特徴とする。
【００１５】
また、請求項６の発明は、請求項５の発明において、前記画像形成装置への電力の供給を停止している状態で、要求検出が前記画像形成装置に対する要求を検出した場合に、前記給電手段による前記画像形成装置への電力の供給を再開させることを特徴とする。
【００１６】
また、請求項７の発明は、請求項５の発明において、前記画像形成装置への電力の供給を停止している状態で、要求検出が前記画像形成装置に対する印刷要求を検出した場合に、前記給電手段による前記画像形成装置への電力の供給を再開させることを特徴とする。
【００１７】
また、請求項８の発明は、請求項７の発明において、状態情報保持手段が前記状態情報取得手段が取得した状態情報を保持し、前記画像形成装置への電力の供給を停止している状態で、要求検出が前記画像形成装置に対する状態通知要求を検出した場合に、情報提示手段が、前記画像形成装置に代えて前記状態情報保持手段が保持する状態情報を提示することを特徴とする。
【発明の効果】
【００１８】
本発明によれば、画像読取装置と画像形成装置を組み合わせて利用する場合に、画像形成装置側の節電機能の有無に関わらず、画像読取装置側の設定で、画像形成装置を節電状態に移行させることが可能となる。
【発明を実施するための最良の形態】
【００１９】
以下、本発明に係る画像読取装置および画像形成装置の制御方法の一実施の形態について、添付図面を参照して詳細に説明する。
【実施例１】
【００２０】
図１は、実施例１における画像読取装置と画像形成装置の接続構成を示した図である。同図に示すように、実施例１で説明する構成では、情報処理装置１０と画像読取装置２０がケーブル５１を介してローカル接続され、画像読取装置２０と画像形成装置３０がケーブル５２を介してローカル接続されている。情報処理装置１０と画像読取装置２０の接続や画像読取装置２０と画像形成装置３０の接続は、例えば、ＵＳＢ（Universal Serial Bus）規格に従った方法など、一般的に利用されている様々な接続方法が利用できる。
【００２１】
情報処理装置１０は、画像読取装置２０で原稿を読み取って得た画像データを取得して利用したり、アプリケーションソフトウェア等で作成した印刷ジョブを画像読取装置２０を介して画像形成装置３０へ送出したりする。
【００２２】
画像読取装置２０は、本発明を適用したもので、原稿を読み取って画像データを生成し、生成した画像データを情報処理装置１０や画像形成装置３０へ送出するほか、情報処理装置１０が送出した印刷ジョブを画像形成装置３０へ送る。また、画像読取装置２０は、画像形成装置３０への給電を制御する。このため、画像読取装置２０は、電源４０と電力ケーブル６１で接続されるとともに、電力ケーブル６２を介して画像形成装置３０と接続されている。
【００２３】
次に、画像読取装置２０について説明する。図２は、画像読取装置２０の機能的な構成を示すブロック図である。
【００２４】
同図に示すように、画像読取装置２０は、画像読取部２１と、通信部２２、通信制御部２３、通信部２４、装置状態取得部２５、節電制御部２６、受電部２７、給電部２８を具備して構成される。
【００２５】
画像読取部２１は、原稿を光学的に読み取って得た光信号を電気信号に変換して画像データを生成する。通信部２２は、情報処理装置１０との間で通信を行うためのインタフェイスである。通信制御部２３は、情報処理装置１０と画像読取装置２０の間の通信や情報処理装置１０と画像形成装置３０の間の通信、画像読取装置２０と画像形成装置３０の間の通信をそれぞれ制御する。通信部２４は、画像形成装置３０との間で通信を行うためのインタフェイスである。
【００２６】
装置状態取得部２５は、画像形成装置３０へ状態情報の送信を要求し、画像形成装置３０から画像形成装置３０の状態を示す状態情報を取得する。節電制御部２６は、通信制御部２３が制御する情報処理装置１０と画像形成装置３０の間の通信状態と、装置状態取得部２５が取得した状態情報に基づいて、画像形成装置３０に対する節電制御を実行する。受電部２７は、電源４０から受電した電力を画像読取装置２０で利用する電力と画像形成装置３０に供給する電力とに分電する。給電部２８は、節電制御部２６の指示に従って、受電部２７が分電した電力を画像形成装置３０へ給電するスイッチとして動作する。
【００２７】
次に、画像読取装置２０の動作について説明する。図３は、画像読取装置２０の動作の流れを示すフローチャートであり、図４は、情報処理装置１０と画像読取装置２０と画像形成装置３０との間の通信の流れを示した図である。
【００２８】
画像読取装置２０は、節電制御部２６が、節電移行条件が成立したと判断すると（図３のステップ１０１でＹＥＳ）、装置状態取得部２５が、画像形成装置３０に対して状態通知要求を送出する（図３のステップ１０２、図４のステップ１２１）。節電移行条件は、画像形成装置３０を節電状態へ移行するか否かを判断するための条件で、例えば、画像形成装置３０が一定時間アイドル状態であることで、これを情報処理装置１０から画像形成装置３０への通信が一定時間無いことと同意として通信制御部２３が当該状態を検知する。
【００２９】
次に、装置状態取得部２５が画像形成装置３０へ送出した状態通知要求に応じて、画像形成装置３０が状態通知を返すと（図４のステップ１２２）、装置状態取得部２５がこれを受信する（図３のステップ１０３でＹＥＳ）。画像形成装置３０が返した状態通知が、画像形成装置３０がジョブの実行中であることを示している場合には、画像形成装置３０の電源を遮断することは不可能であるため（図３のステップ１０４でＮＯ）、画像読取装置２０は、再度、節電移行条件が成立するのを待つ。
【００３０】
そして、節電制御部２６が、節電移行条件が成立したと判断すると（図３のステップ１０１でＹＥＳ）、装置状態取得部２５が、画像形成装置３０に対して状態通知要求を送出する（図３のステップ１０２、図４のステップ１２３）。そして、この状態通知要求に応じて、画像形成装置３０が状態通知を返すと（図４のステップ１２４）、装置状態取得部２５がこれを受信する（図３のステップ１０３でＹＥＳ）。画像形成装置３０が返した状態通知が、画像形成装置３０がジョブを実行していないことを示している場合には、画像形成装置３０の電源を遮断することが可能であるため（図３のステップ１０４でＹＥＳ）、節電制御部２６は、給電部２８に画像形成装置３０への給電を停止するよう指示し、給電部２８が画像形成装置３０への給電を停止する（図３のステップ１０５）。
【００３１】
その後、情報処理装置１０から画像形成装置３０への通信があると、例えば、情報処理装置１０が画像形成装置３０へ印刷要求を送信すると（図４のステップ１２５）、通信制御部２３がこれを検知して節電制御部２６に通知する（図３のステップ１０６でＹＥＳ）。この通知を受けた節電制御部２６は、給電部２８に画像形成装置３０への給電を再開するよう指示し、給電部２８が画像形成装置３０への給電を再開する（図３のステップ１０７）。画像形成装置３０への給電が再開されると、情報処理装置１０から画像形成装置３０への印刷要求が、画像形成装置３０へ送信される（図４のステップ１２６）。
【００３２】
また、給電部２８が画像形成装置３０への給電を停止している状態で、画像読取部２１で生成した画像データを画像形成装置３０へ送出して印刷出力させる複写処理が指示された場合には、通信制御部２３がこれを検知して節電制御部２６に通知する（図３のステップ１０６でＮＯおよびステップ１０８でＹＥＳ）。この通知を受けた節電制御部２６は、給電部２８に画像形成装置３０への給電を再開するよう指示し、給電部２８が画像形成装置３０への給電を再開する（図３のステップ１０７）。
【実施例２】
【００３３】
前述の実施例１の構成では、画像形成装置３０への給電を停止している状態で、情報処理装置１０から画像形成装置３０への通信があると画像形成装置３０への給電を再開している。このため、情報処理装置１０が画像形成装置３０へ印刷要求ではなく、状態通知要求などの別の要求を発行した場合でも、画像形成装置３０への給電は再開されることになる。実施例２では、画像形成装置に対して印刷要求が発行されるまで、当該画像形成装置への給電を停止する場合の構成を説明する。なお、実施例２における画像読取装置と画像形成装置の接続構成は、実施例１の場合と同様であるため、詳細な説明は省略するが、図１に示した情報処理装置１０、画像読取装置２０、画像形成装置３０、電源４０が、後述する情報処理装置２１０、画像読取装置２２０、画像形成装置２３０、電源２４０に対応するものとする。
【００３４】
図５は、画像読取装置２２０の機能的な構成を示すブロック図である。同図に示すように、画像読取装置２２０は、画像読取部２２１と、通信部２２２、通信制御部２２３、通信部２２４、装置状態取得部２２５、節電制御部２２６、装置状態通知部２２７、受電部２２８、給電部２２９を具備して構成される。
【００３５】
画像読取部２２１は、原稿を光学的に読み取って得た光信号を電気信号に変換して画像データを生成する。通信部２２２は、情報処理装置２１０との間で通信を行うためのインタフェイスである。通信制御部２２３は、情報処理装置２１０と画像読取装置２２０の間の通信や情報処理装置２１０と画像形成装置２３０の間の通信、画像読取装置２２０と画像形成装置２３０の間の通信をそれぞれ制御する。通信部２２４は、画像形成装置２３０との間で通信を行うためのインタフェイスである。
【００３６】
装置状態取得部２２５は、画像形成装置２３０へ状態情報の送信を要求し、画像形成装置２３０から画像形成装置２３０の状態を示す状態情報を取得する。節電制御部２２６は、通信制御部２２３が制御する情報処理装置２１０と画像形成装置２３０の間の通信状態と、装置状態取得部２２５が取得した状態情報に基づいて、画像形成装置２３０に対する節電制御を実行する。装置状態通知部２２７は、節電制御部２２６が画像形成装置２３０に対する節電制御を行う際に、装置状態取得部２２５が取得した装置状態を保持し、情報処理装置２１０から画像形成装置２３０に対して状態通知得要求が送信された際に、画像形成装置２３０の代理として、情報処理装置２１０に対して情報通知を送信する。受電部２２８は、電源２４０から受電した電力を画像読取装置２２０で利用する電力と画像形成装置２３０に供給する電力とに分電する。給電部２２９は、節電制御部２２６の指示に従って、受電部２２８が分電した電力を画像形成装置２３０へ給電するスイッチとして動作する。
【００３７】
次に、画像読取装置２２０の動作について説明する。図６は、画像読取装置２２０の動作の流れを示すフローチャートであり、図７および図８は、情報処理装置２１０と画像読取装置２２０と画像形成装置２３０との間の通信の流れを示した図である。
【００３８】
画像読取装置２２０は、画像形成装置２３０に対して給電している状態で、情報処理装置２１０から画像形成装置２３０へ状態通知要求が送信されると（図７のステップ３２１）、通信制御部２２３がこれを仲介し（図７のステップ３２２）、当該状態通知要求に対して画像形成装置２３０が状態通知を返すと（図７のステップ３２３）、通信制御部２２３がこれを仲介する（図７のステップ３２４）。
【００３９】
そして、画像読取装置２２０は、節電制御部２２６が、節電移行条件が成立したと判断すると（図６のステップ３０１でＹＥＳ）、装置状態取得部２２５が、画像形成装置２３０に対して状態通知要求を送出する（図６のステップ３０２、図７のステップ３２５）。節電移行条件は、画像形成装置２３０を節電状態へ移行するか否かを判断するための条件で、例えば、画像形成装置２３０が一定時間アイドル状態であることで、これを情報処理装置２１０から画像形成装置２３０への通信が一定時間無いことと同意として通信制御部２２３が当該状態を検知する。
【００４０】
装置状態取得部２２５が画像形成装置２３０へ送出した状態通知要求に応じて、画像形成装置２３０が状態通知を返すと（図７のステップ３２６）、装置状態取得部２５がこれを受信する（図６のステップ３０３でＹＥＳ）。画像形成装置２３０が返した状態通知が、画像形成装置２３０がジョブを実行していないことを示している場合には、画像形成装置２３０の電源を遮断することが可能であるため（図６のステップ３０４でＹＥＳ）、節電制御部２２６は、画像形成装置２３０が返した状態通知の内容を装置状態通知部２２８に保持させ（図６のステップ３０５）、続いて、節電制御部２２６は、給電部２２９に画像形成装置２３０への給電を停止するよう指示し、給電部２２９が画像形成装置２３０への給電を停止する（図６のステップ３０６）。
【００４１】
その後、画像読取部２２１で生成した画像データを画像形成装置２３０へ送出して印刷出力させる複写処理が指示された場合には、通信制御部２２３がこれを検知して節電制御部２２６に通知する（図６のステップ３０７でＹＥＳ）。この通知を受けた節電制御部２２６は、給電部２２９に画像形成装置２３０への給電を再開するよう指示し、給電部２２９が画像形成装置２３０への給電を再開する（図６のステップ３０８）。
【００４２】
また、給電部２２９が画像形成装置２３０への給電を停止している状態で、情報処理装置２１０から画像形成装置２３０への通信があると、例えば、情報処理装置２１０が画像形成装置２３０へ状態通知要求を送信すると（図８のステップ３２７）、通信制御部２２３がこれを検知して節電制御部２２６に通知する（図６のステップ３０９でＹＥＳ）。この通知を受けた節電制御部２２６は、その通信内容を調べ、当該内容が印刷要求でなければ（図６のステップ３１０でＮＯ）、装置状態通知部２２８が、保持している画像形成装置２３０の状態情報を、画像形成装置２３０に代えて情報処理装置２１０に送信する（図６のステップ３１１、図８のステップ３２８）。
【００４３】
一方、情報処理装置２１０から画像形成装置２３０への通信があり、それが情報処理装置２１０から画像形成装置２３０への印刷要求であると（図８のステップ３２９）、通信制御部２２３がこれを検知して節電制御部２２６に通知する（図６のステップ３０９でＹＥＳ）。この通知を受けた節電制御部２２６は、その通信内容を調べ、当該内容が印刷要求であれば（図６のステップ３１０でＹＥＳ）、給電部２２９に画像形成装置２３０への給電を再開するよう指示し、給電部２２９が画像形成装置２３０への給電を再開する（図６のステップ３０８）。画像形成装置２３０への給電が再開されると、通信制御部２２３により、情報処理装置２１０から画像形成装置２３０への印刷要求が、画像形成装置２３０へ送信される（図８のステップ３３０）。
【実施例３】
【００４４】
図９は、実施例３における画像読取装置と画像形成装置の接続構成を示した図である。同図に示すように、実施例３で説明する構成では、情報処理装置４１０（４１０−１〜４１０−３）と画像読取装置４２０がネットワーク４７１を介して接続され、画像読取装置４２０と画像形成装置４３０がケーブル４５１を介してローカル接続されている。ネットワーク４７１は、一般的に利用されているＴＣＰ／ＩＰ等のプロトコルを用いたネットワークであり、画像読取装置４２０と画像形成装置４３０の接続は、例えば、ＵＳＢ（Universal Serial Bus）規格に従った方法など、一般的に利用されている様々な接続方法が利用できる。
【００４５】
情報処理装置４１０は、画像読取装置４２０で原稿を読み取って得た画像データを取得して利用したり、アプリケーションソフトウェア等で作成した印刷ジョブを画像読取装置４２０を介して画像形成装置４３０へ送出したりする。
【００４６】
画像読取装置４２０は、本発明を適用したもので、原稿を読み取って画像データを生成し、生成した画像データを情報処理装置４１０や画像形成装置４３０へ送出するほか、情報処理装置４１０に対してプリントサーバとして動作し、情報処理装置４１０が発行した印刷ジョブを受け付けて画像形成装置４３０から印刷出力させる。また、画像読取装置４２０は、画像形成装置４３０への給電を制御する。このため、画像読取装置４２０は、電源４４０と電力ケーブル４６１で接続されるとともに、電力ケーブル４６２を介して画像形成装置４３０と接続されている。
【００４７】
次に、画像読取装置４２０について説明する。図１０は、画像読取装置４２０の機能的な構成を示すブロック図である。同図に示すように、画像読取装置４２０は、画像読取部４２１と、ネットワーク処理部４２２、サーバ処理部４２３、通信部４２４、装置状態管理部４２５、節電制御部４２６、受電部４２７、給電部４２８を具備して構成される。
【００４８】
画像読取部４２１は、原稿を光学的に読み取って得た光信号を電気信号に変換して画像データを生成する。ネットワーク処理部４２２は、ネットワーク４７１とのインタフェイスとして動作するとともに、通信内容に応じて画像読取部４２１とサーバ処理部４２２とでデータの授受先を切り換える。この切り換えは、例えば、画像読取部４２１とサーバ処理部４２２に異なるポートを割り当てることで行われる。
【００４９】
サーバ処理部４２３は、プリントサーバとして動作するもので、情報処理装置４１０に対して画像形成装置４３０を代理する動作を行うほか、画像形成装置４３０から当該装置に関する各種情報の取得も行う。通信部４２４は、画像形成装置４３０との間で通信を行うためのインタフェイスである。
【００５０】
装置状態管理部４２５は、サーバ処理部４２３が画像形成装置４３０から取得した装置状態等の各種情報を保持、管理する。節電制御部４２６は、サーバ処理部４２３から画像形成装置４３０の利用状況情報や画像形成装置４３０の装置状態等の情報を取得し、取得した情報に基づいて、画像形成装置４３０に対する節電制御を実行する。
【００５１】
受電部４２７は、電源４４０から受電した電力を画像読取装置４２０で利用する電力と画像形成装置４３０に供給する電力とに分電する。給電部４２８は、節電制御部４２６の指示に従って、受電部４２７が分電した電力を画像形成装置４３０へ給電するスイッチとして動作する。
【００５２】
次に、画像読取装置４２０の動作について説明するが、画像読取装置４２０の動作は、実施例２で説明した画像読取装置２２０の動作と共通点が多いため、図６乃至８を流用して説明を行う。ただし、同図中における情報処理装置２１０、画像読取装置２２０、画像形成装置２３０は、それぞれ、情報処理装置４１０、画像読取装置４２０、画像形成装置４３０に読み替えるものとする。
【００５３】
画像読取装置４２０は、画像形成装置４３０に対して給電している状態で、情報処理装置４１０から画像形成装置４３０へ状態通知要求が送信されると（図７のステップ３２１）、サーバ処理部４２３がこれを仲介し（図７のステップ３２２）、当該状態通知要求に対して画像形成装置４３０が状態通知を返すと（図７のステップ３２３）、サーバ処理部４２３がこれを取得し、情報処理装置４１０へ通知する。
【００５４】
そして、画像読取装置４２０は、節電制御部４２６が、節電移行条件が成立したと判断すると（図６のステップ３０１でＹＥＳ）、サーバ処理部４２３が、画像形成装置４３０に対して状態通知要求を送出する（図６のステップ３０２、図７のステップ３２５）。節電移行条件は、画像形成装置４３０を節電状態へ移行するか否かを判断するための条件で、例えば、画像形成装置４３０が一定時間アイドル状態であることで、これを情報処理装置４１０から画像形成装置４３０への通信が一定時間無いことと同意としてサーバ処理部４２３が当該状態を検知する。
【００５５】
サーバ処理部４２３が画像形成装置４３０へ送出した状態通知要求に応じて、画像形成装置４３０が状態通知を返すと（図７のステップ３２６）、サーバ処理部４２３がこれを受信する（図６のステップ３０３でＹＥＳ）。画像形成装置４３０が返した状態通知が、画像形成装置４３０がジョブを実行していないことを示している場合には、画像形成装置４３０の電源を遮断することが可能であるため（図６のステップ３０４でＹＥＳ）、節電制御部４２６は、画像形成装置４３０が返した状態通知の内容を装置状態管理部４２５に保持させ（図６のステップ３０５）、続いて、節電制御部４２６は、給電部４２８に画像形成装置４３０への給電を停止するよう指示し、給電部４２８が画像形成装置４３０への給電を停止する（図６のステップ３０６）。
【００５６】
その後、画像読取部４２１で生成した画像データを画像形成装置４３０へ送出して印刷出力させる複写処理が指示された場合には、サーバ処理部４２３がこれを検知して節電制御部４２６に通知する（図６のステップ３０７でＹＥＳ）。この通知を受けた節電制御部４２６は、給電部４２８に画像形成装置４３０への給電を再開するよう指示し、給電部４２８が画像形成装置４３０への給電を再開する（図６のステップ３０８）。
【００５７】
また、給電部４２８が画像形成装置４３０への給電を停止している状態で、情報処理装置４１０から画像形成装置４３０への通信があると、例えば、情報処理装置４１０が画像形成装置４３０へ状態通知要求を送信すると（図８のステップ３２７）、サーバ処理部４２３がその通信内容を調べ、当該内容が印刷要求でなければ（図６のステップ３０９でＹＥＳおよびステップ３１０でＮＯ）、サーバ処理部４２３は、装置状態管理部４２５が保持している画像形成装置４３０の状態情報を、画像形成装置４３０に代えて情報処理装置４１０に送信する（図６のステップ３１１、図８のステップ３２８）。
【００５８】
一方、情報処理装置４１０から画像形成装置４３０への通信があり、それが情報処理装置４１０から画像形成装置４３０への印刷要求であると（図８のステップ３２９）、サーバ処理部４２３がその通信内容を調べ、当該内容が印刷要求であれば（図６のステップ３０９でＹＥＳおよびのステップ３１０でＹＥＳ）、サーバ処理部４２３は、印刷要求があった旨を節電制御部４２６に通知する。この通知を受けた節電制御部４２６は、給電部４２８に画像形成装置４３０への給電を再開するよう指示し、給電部４２８が画像形成装置４３０への給電を再開する（図６のステップ３０８）。画像形成装置４３０への給電が再開されると、サーバ処理部４２３は、情報処理装置４１０から受信した印刷要求を、画像形成装置２３０へ送信する（図８のステップ３３０）。
【００５９】
なお、ここでは、画像形成装置４３０への給電を停止している際に、情報処理装置４１０から状態通知要求を受信した場合には、装置状態管理部４２５が管理している状態情報を情報処理装置４１０へ通知するように構成しているが、状態通知要求を受信した場合に画像形成装置４３０への給電を再開し、状態通知要求を画像形成装置４３０へ送信するように構成してもよい。
【実施例４】
【００６０】
図１１は、実施例４における画像読取装置と画像形成装置の接続構成を示した図である。同図に示すように、実施例４で説明する構成では、情報処理装置５１０（５１０−１〜５１０−３）と画像読取装置５２０がネットワーク５７１を介して接続され、画像読取装置５２０と画像形成装置５３０がネットワーク５７２を介して接続されている。ネットワーク５７１およびネットワーク５７２は、一般的に利用されているＴＣＰ／ＩＰ等のプロトコルを用いたネットワークである。ただし、ネットワーク５７１とネットワーク５７２は、必ずしも同じプロトコルを用いる必要はない。
【００６１】
情報処理装置５１０は、画像読取装置５２０で原稿を読み取って得た画像データを取得して利用したり、アプリケーションソフトウェア等で作成した印刷ジョブを画像読取装置５２０を介して画像形成装置５３０へ送出したりする。
【００６２】
画像読取装置５２０は、本発明を適用したもので、原稿を読み取って画像データを生成し、生成した画像データを情報処理装置５１０や画像形成装置５３０へ送出するほか、情報処理装置５１０に対してプリントサーバとして動作し、情報処理装置５１０が発行した印刷ジョブを受け付けて画像形成装置５３０から印刷出力させる。また、画像読取装置５２０は、画像形成装置５３０への給電を制御する。このため、画像読取装置５２０は、電源５４０と電力ケーブル５６１で接続されるとともに、電力ケーブル５６２を介して画像形成装置５３０と接続されている。
【００６３】
次に、画像読取装置５２０について説明する。図１２は、画像読取装置５２０の機能的な構成を示すブロック図である。同図に示すように、画像読取装置５２０は、画像読取部５２１と、ネットワーク処理部５２２、サーバ処理部５２３、ネットワーク処理部５２４、装置状態管理部５２５、節電制御部５２６、受電部５２７、給電部５２８を具備して構成される。
【００６４】
画像読取部５２１は、原稿を光学的に読み取って得た光信号を電気信号に変換して画像データを生成する。ネットワーク処理部５２２は、ネットワーク５７１とのインタフェイスとして動作するとともに、通信内容に応じて画像読取部５２１とサーバ処理部５２３とでデータの授受先を切り換える。この切り換えは、例えば、画像読取部５２１とサーバ処理部５２３に異なるポートを割り当てることで行われる。
【００６５】
サーバ処理部５２３は、プリントサーバとして動作するもので、情報処理装置５１０に対して画像形成装置５３０を代理する動作を行うほか、画像形成装置５３０から当該装置に関する各種情報の取得も行う。ネットワーク処理部５２４は、ネットワーク５７２とのインタフェイスとして動作する。
【００６６】
装置状態管理部５２５は、サーバ処理部５２３が画像形成装置５３０から取得した装置状態等の各種情報を保持、管理する。節電制御部５２６は、サーバ処理部５２３から画像形成装置５３０の利用状況情報や画像形成装置５３０の装置状態等の情報を取得し、取得した情報に基づいて、画像形成装置５３０に対する節電制御を実行する。
【００６７】
受電部５２７は、電源５４０から受電した電力を画像読取装置５２０で利用する電力と画像形成装置５３０に供給する電力とに分電する。給電部５２８は、節電制御部５２６の指示に従って、受電部５２７が分電した電力を画像形成装置５３０へ給電するスイッチとして動作する。
【００６８】
次に、画像読取装置５２０の動作について説明するが、画像読取装置５２０の動作は、実施例２で説明した画像読取装置２２０の動作と共通点が多いため、図６乃至８を流用して説明を行う。ただし、同図中における情報処理装置２１０、画像読取装置２２０、画像形成装置２３０は、それぞれ、情報処理装置５１０、画像読取装置５２０、画像形成装置５３０に読み替えるものとする。
【００６９】
画像読取装置５２０は、画像形成装置５３０に対して給電している状態で、情報処理装置５１０から画像形成装置５３０へ状態通知要求が送信されると（図７のステップ３２１）、サーバ処理部５２３がこれを仲介し（図７のステップ３２２）、当該状態通知要求に対して画像形成装置５３０が状態通知を返すと（図７のステップ３２３）、サーバ処理部５２３がこれを取得し、情報処理装置５１０へ通知する。
【００７０】
そして、画像読取装置５２０は、節電制御部５２６が、節電移行条件が成立したと判断すると（図６のステップ３０１でＹＥＳ）、サーバ処理部５２３が、画像形成装置５３０に対して状態通知要求を送出する（図６のステップ３０２、図７のステップ３２５）。節電移行条件は、画像形成装置５３０を節電状態へ移行するか否かを判断するための条件で、例えば、画像形成装置５３０が一定時間アイドル状態であることで、これを情報処理装置５１０から画像形成装置５３０への通信が一定時間無いことと同意としてサーバ処理部５２３が当該状態を検知する。
【００７１】
サーバ処理部５２３が画像形成装置５３０へ送出した状態通知要求に応じて、画像形成装置５３０が状態通知を返すと（図７のステップ３２６）、サーバ処理部５２３がこれを受信する（図６のステップ３０３でＹＥＳ）。画像形成装置５３０が返した状態通知が、画像形成装置５３０がジョブを実行していないことを示している場合には、画像形成装置５３０の電源を遮断することが可能であるため（図６のステップ３０４でＹＥＳ）、節電制御部５２６は、画像形成装置５３０が返した状態通知の内容を装置状態管理部５２５に保持させ（図６のステップ３０５）、続いて、節電制御部５２６は、給電部５２８に画像形成装置５３０への給電を停止するよう指示し、給電部５２８が画像形成装置５３０への給電を停止する（図６のステップ３０６）。
【００７２】
その後、画像読取部５２１で生成した画像データを画像形成装置５３０へ送出して印刷出力させる複写処理が指示された場合には、サーバ処理部５２３がこれを検知して節電制御部５２６に通知する（図６のステップ３０７でＹＥＳ）。この通知を受けた節電制御部５２６は、給電部５２８に画像形成装置５３０への給電を再開するよう指示し、給電部５２８が画像形成装置５３０への給電を再開する（図６のステップ３０８）。
【００７３】
また、給電部５２８が画像形成装置５３０への給電を停止している状態で、情報処理装置５１０から画像形成装置５３０への通信があると、例えば、情報処理装置５１０が画像形成装置５３０へ状態通知要求を送信すると（図８のステップ３２７）、サーバ処理部５２３がその通信内容を調べ、当該内容が印刷要求でなければ（図６のステップ３０９でＹＥＳおよびステップ３１０でＮＯ）、サーバ処理部５２３は、装置状態管理部５２５が保持している画像形成装置５３０の状態情報を、画像形成装置５３０に代えて情報処理装置５１０に送信する（図６のステップ３１１、図８のステップ３２８）。
【００７４】
一方、情報処理装置５１０から画像形成装置５３０への通信があり、それが情報処理装置５１０から画像形成装置５３０への印刷要求であると（図８のステップ３２９）、サーバ処理部５２３がその通信内容を調べ、当該内容が印刷要求であれば（図６のステップ３０９でＹＥＳおよびのステップ３１０でＹＥＳ）、サーバ処理部５２３は、印刷要求があった旨を節電制御部５２６に通知する。この通知を受けた節電制御部５２６は、給電部５２８に画像形成装置５３０への給電を再開するよう指示し、給電部５２８が画像形成装置５３０への給電を再開する（図６のステップ３０８）。画像形成装置５３０への給電が再開されると、サーバ処理部５２３は、情報処理装置５１０から受信した印刷要求を、画像形成装置５３０へ送信する（図８のステップ３３０）。
【００７５】
なお、ここでは、画像形成装置５３０への給電を停止している際に、情報処理装置５１０から状態通知要求を受信した場合には、装置状態管理部５２５が管理している状態情報を情報処理装置５１０へ通知するように構成しているが、状態通知要求を受信した場合に画像形成装置５３０への給電を再開し、状態通知要求を画像形成装置５３０へ送信するように構成してもよい。
【実施例５】
【００７６】
次に、実施例５について説明するが、実施例５における画像読取装置と画像形成装置の接続構成は、実施例４の場合と同様であるため、詳細な説明は省略するが、図１１に示した情報処理装置５１０、画像読取装置５２０、画像形成装置５３０、電源５４０が、後述する情報処理装置６１０、画像読取装置６２０、画像形成装置６３０、電源６４０に対応するものとする。ただし、実施例５の場合は、ネットワーク５７１に対応するネットワーク（情報処理装置６１０と画像読取装置６２０が接続されるネットワーク）と、ネットワーク５７２に対応するネットワーク（画像読取装置６２０と画像形成装置６３０が接続されるネットワーク）は、同一のネットワークであるものとする。また、画像読取装置６２０は、プリントサーバとしては動作しない。
【００７７】
次に、画像読取装置６２０について説明する。図１３は、画像読取装置６２０の機能的な構成を示すブロック図である。同図に示すように、画像読取装置６２０は、画像読取部６２１と、ネットワーク処理部６２２、リピータ処理部６２３、通信監視部６２４、節電制御部６２５、受電部６２６、給電部６２７を具備して構成される。
【００７８】
画像読取部６２１は、原稿を光学的に読み取って得た光信号を電気信号に変換して画像データを生成する。ネットワーク処理部６２２は、画像読取装置６２０が接続されるネットワーク（ネットワーク５７１に対応する）とのインタフェイスとして動作するとともに、通信内容に応じて画像読取部６２１と節電制御部６２５とでデータの授受先を切り換える。この切り換えは、例えば、画像読取部６２１と節電制御部６２５に異なるポートを割り当てることで行われる。
【００７９】
リピータ処理部６２３は、一般的にハブと称されるリピータ機能を提供する。なお、リピータ処理部６２３については、リピータ機能に限らず、一般的にスイッチングハブと称されるスイッチ機能を提供するようにしてもよい。
【００８０】
通信監視部６２４は、リピータ処理部６２３を通過する通信内容を監視するもので、一般にパケットモニタと称されるものと同様の機能を提供する。節電制御部６２５は、通信監視部６２４が監視している通信内容と、画像形成装置６３０から取得する情報に基づいて、画像形成装置６３０に対する節電制御を実行する。
【００８１】
受電部６２６は、電源６４０から受電した電力を画像読取装置６２０で利用する電力と画像形成装置６３０に供給する電力とに分電する。給電部６２７は、節電制御部６２５の指示に従って、受電部６２６が分電した電力を画像形成装置６３０へ給電するスイッチとして動作する。
【００８２】
次に、画像読取装置６２０の動作について説明するが、画像読取装置６２０の動作は、実施例１で説明した画像読取装置２０の動作と共通点が多いため、図３および図４を流用して説明を行う。ただし、同図中における情報処理装置１０、画像読取装置２０、画像形成装置３０は、それぞれ、情報処理装置６１０、画像読取装置６２０、画像形成装置６３０に読み替えるものとする。
【００８３】
画像読取装置６２０では、節電制御部６２５が、節電移行条件が成立したと判断すると（図３のステップ１０１でＹＥＳ）、節電制御部６２５は、画像形成装置６３０に対して状態通知要求を送出する（図３のステップ１０２、図４のステップ１２１）。節電移行条件は、画像形成装置６３０を節電状態へ移行するか否かを判断するための条件で、例えば、画像形成装置６３０が一定時間アイドル状態であることで、これを情報処理装置６１０から画像形成装置６３０への通信が一定時間無いことと同意として通信監視部６２４の監視結果から当該状態を検知する。
【００８４】
次に、節電制御部６２５が画像形成装置６３０へ送出した状態通知要求に応じて、画像形成装置６３０が状態通知を返すと（図４のステップ１２２）、節電制御部６２５がこれを受信する（図３のステップ１０３でＹＥＳ）。画像形成装置６３０が返した状態通知が、画像形成装置６３０がジョブの実行中であることを示している場合には、画像形成装置６３０の電源を遮断することは不可能であるため（図３のステップ１０４でＮＯ）、画像読取装置６２０は、再度、節電移行条件が成立するのを待つ。
【００８５】
そして、節電制御部６２５が、節電移行条件が成立したと判断すると（図３のステップ１０１でＹＥＳ）、節電制御部６２５は、画像形成装置６３０に対して状態通知要求を送出する（図３のステップ１０２、図４のステップ１２３）。そして、この状態通知要求に応じて、画像形成装置６３０が状態通知を返すと（図４のステップ１２４）、節電制御部６２５がこれを受信する（図３のステップ１０３でＹＥＳ）。画像形成装置６３０が返した状態通知が、画像形成装置６３０がジョブを実行していないことを示している場合には、画像形成装置６３０の電源を遮断することが可能であるため（図３のステップ１０４でＹＥＳ）、節電制御部６２５は、給電部６２７に画像形成装置６３０への給電を停止するよう指示し、給電部６２７が画像形成装置６３０への給電を停止する（図３のステップ１０５）。
【００８６】
その後、節電制御部６２５は、通信監視部６２４の監視結果から、情報処理装置６１０から画像形成装置６３０への通信があったことを検知すると、例えば、情報処理装置６１０が画像形成装置６３０へ印刷要求を送信すると（図４のステップ１２５）、通信監視部６２４の監視結果から節電制御部６２５がこれを検知する（図３のステップ１０６でＹＥＳ）。そして、節電制御部６２５は、給電部６２７に画像形成装置６３０への給電を再開するよう指示し、給電部６２７が画像形成装置６３０への給電を再開する（図３のステップ１０７）。画像形成装置６３０への給電が再開されると、情報処理装置６１０から画像形成装置６３０への印刷要求が、画像形成装置６３０へ送信される（図４のステップ１２６）。
【００８７】
また、給電部６２７が画像形成装置６３０への給電を停止している状態で、画像読取部６２１で生成した画像データを画像形成装置６３０へ送出して印刷出力させる複写処理が指示された場合には、通信監視部６２４の監視結果から節電制御部６２５がこれを検知し（図３のステップ１０６でＮＯおよびステップ１０８でＹＥＳ）、給電部６２７に画像形成装置６３０への給電を再開するよう指示し、給電部６２７が画像形成装置６３０への給電を再開する（図３のステップ１０７）。
【実施例６】
【００８８】
図１４は、実施例６における画像読取装置と画像形成装置の接続構成を示した図である。同図に示すように、実施例６で説明する構成では、情報処理装置７１０（７１０−１〜７１０−３）と画像読取装置７２０、画像形成装置７３０がネットワーク７７１を介して接続されている。ネットワーク５７１は、一般的に利用されているＴＣＰ／ＩＰ等のプロトコルを用いたネットワークである。
【００８９】
情報処理装置７１０は、画像読取装置７２０で原稿を読み取って得た画像データを取得して利用したり、アプリケーションソフトウェア等で作成した印刷ジョブを画像読取装置７２０を介して画像形成装置７３０へ送出したりする。
【００９０】
画像読取装置７２０は、本発明を適用したもので、原稿を読み取って画像データを生成し、生成した画像データを情報処理装置７１０や画像形成装置７３０へ送出するほか、情報処理装置７１０に対してプリントサーバとして動作し、情報処理装置７１０が発行した印刷ジョブを受け付けて画像形成装置７３０から印刷出力させる。また、画像読取装置７２０は、画像形成装置７３０への給電を制御する。このため、画像読取装置７２０は、電源７４０と電力ケーブル７６１で接続されるとともに、電力ケーブル７６２を介して画像形成装置７３０と接続されている。
【００９１】
次に、画像読取装置７２０について説明する。図１５は、画像読取装置７２０の機能的な構成を示すブロック図である。同図に示すように、画像読取装置７２０は、画像読取部７２１と、ネットワーク処理部７２２、サーバ処理部７２３、装置状態管理部７２４、節電制御部７２５、受電部７２６、給電部７２７を具備して構成される。
【００９２】
画像読取部７２１は、原稿を光学的に読み取って得た光信号を電気信号に変換して画像データを生成する。ネットワーク処理部７２２は、ネットワーク７７１とのインタフェイスとして動作するとともに、通信内容に応じて画像読取部７２１とサーバ処理部７２３とでデータの授受先を切り換える。この切り換えは、例えば、画像読取部７２１とサーバ処理部７２３に異なるポートを割り当てることで行われる。
【００９３】
サーバ処理部７２３は、プリントサーバとして動作するもので、情報処理装置７１０に対して画像形成装置７３０を代理する動作を行うほか、画像形成装置７３０から当該装置に関する各種情報の取得も行う。
【００９４】
装置状態管理部７２４は、サーバ処理部７２３が画像形成装置７３０から取得した装置状態等の各種情報を保持、管理する。節電制御部７２５は、サーバ処理部７２３から画像形成装置７３０の利用状況情報や画像形成装置７３０の装置状態等の情報を取得し、取得した情報に基づいて、画像形成装置７３０に対する節電制御を実行する。
【００９５】
受電部７２６は、電源７４０から受電した電力を画像読取装置７２０で利用する電力と画像形成装置７３０に供給する電力とに分電する。給電部７２７は、節電制御部７２５の指示に従って、受電部７２６が分電した電力を画像形成装置７３０へ給電するスイッチとして動作する。
【００９６】
次に、画像読取装置７２０の動作について説明するが、画像読取装置７２０の動作は、実施例２で説明した画像読取装置２２０の動作と共通点が多いため、図６乃至８を流用して説明を行う。ただし、同図中における情報処理装置２１０、画像読取装置２２０、画像形成装置２３０は、それぞれ、情報処理装置７１０、画像読取装置７２０、画像形成装置７３０に読み替えるものとする。
【００９７】
画像読取装置７２０は、画像形成装置７３０に対して給電している状態で、情報処理装置７１０から画像形成装置７３０へ状態通知要求が送信されると（図７のステップ３２１）、サーバ処理部７２３がこれを仲介し（図７のステップ３２２）、当該状態通知要求に対して画像形成装置７３０が状態通知を返すと（図７のステップ３２３）、サーバ処理部７２３がこれを取得し、情報処理装置７１０へ通知する。
【００９８】
そして、画像読取装置７２０は、節電制御部７２５が、節電移行条件が成立したと判断すると（図６のステップ３０１でＹＥＳ）、サーバ処理部７２３が、画像形成装置７３０に対して状態通知要求を送出する（図６のステップ３０２、図７のステップ３２５）。節電移行条件は、画像形成装置７３０を節電状態へ移行するか否かを判断するための条件で、例えば、画像形成装置７３０が一定時間アイドル状態であることで、これを情報処理装置７１０から画像形成装置７３０への通信が一定時間無いことと同意としてサーバ処理部７２３が当該状態を検知する。
【００９９】
サーバ処理部７２３が画像形成装置７３０へ送出した状態通知要求に応じて、画像形成装置７３０が状態通知を返すと（図７のステップ３２６）、サーバ処理部７２３がこれを受信する（図６のステップ３０３でＹＥＳ）。画像形成装置７３０が返した状態通知が、画像形成装置７３０がジョブを実行していないことを示している場合には、画像形成装置７３０の電源を遮断することが可能であるため（図６のステップ３０４でＹＥＳ）、節電制御部７２５は、画像形成装置７３０が返した状態通知の内容を装置状態管理部７２４に保持させ（図６のステップ３０５）、続いて、節電制御部７２５は、給電部７２７に画像形成装置７３０への給電を停止するよう指示し、給電部７２７が画像形成装置７３０への給電を停止する（図６のステップ３０６）。
【０１００】
その後、画像読取部７２１で生成した画像データを画像形成装置７３０へ送出して印刷出力させる複写処理が指示された場合には、サーバ処理部７２３がこれを検知して節電制御部７２５に通知する（図６のステップ３０７でＹＥＳ）。この通知を受けた節電制御部７２５は、給電部７２７に画像形成装置７３０への給電を再開するよう指示し、給電部７２７が画像形成装置７３０への給電を再開する（図６のステップ３０８）。
【０１０１】
また、給電部７２７が画像形成装置７３０への給電を停止している状態で、情報処理装置７１０から画像形成装置７３０への通信があると、例えば、情報処理装置７１０が画像形成装置７３０へ状態通知要求を送信すると（図８のステップ３２７）、サーバ処理部７２３がその通信内容を調べ、当該内容が印刷要求でなければ（図６のステップ３０９でＹＥＳおよびステップ３１０でＮＯ）、サーバ処理部７２３は、装置状態管理部７２４が保持している画像形成装置７３０の状態情報を、画像形成装置７３０に代えて情報処理装置７１０に送信する（図６のステップ３１１、図８のステップ３２８）。
【０１０２】
一方、情報処理装置７１０から画像形成装置７３０への通信があり、それが情報処理装置７１０から画像形成装置７３０への印刷要求であると（図８のステップ３２９）、サーバ処理部７２３がその通信内容を調べ、当該内容が印刷要求であれば（図６のステップ３０９でＹＥＳおよびのステップ３１０でＹＥＳ）、サーバ処理部７２３は、印刷要求があった旨を節電制御部７２５に通知する。この通知を受けた節電制御部７２５は、給電部７２７に画像形成装置７３０への給電を再開するよう指示し、給電部７２７が画像形成装置７３０への給電を再開する（図６のステップ３０８）。画像形成装置７３０への給電が再開されると、サーバ処理部７２３は、情報処理装置７１０から受信した印刷要求を、画像形成装置７３０へ送信する（図８のステップ３３０）。
【０１０３】
なお、ここでは、画像形成装置７３０への給電を停止している際に、情報処理装置７１０から状態通知要求を受信した場合には、装置状態管理部７２４が管理している状態情報を情報処理装置７１０へ通知するように構成しているが、状態通知要求を受信した場合に画像形成装置７３０への給電を再開し、状態通知要求を画像形成装置７３０へ送信するように構成してもよい。
【実施例７】
【０１０４】
次に、実施例７について説明するが、実施例７における画像読取装置と画像形成装置の接続構成は、実施例６の場合と同様であるため、詳細な説明は省略するが、図１４に示した情報処理装置７１０、画像読取装置７２０、画像形成装置７３０、電源７４０が、後述する情報処理装置８１０、画像読取装置８２０、画像形成装置８３０、電源８４０に対応するものとする。ただし、実施例６の場合は、画像読取装置８２０は、プリントサーバとしては動作しない。
【０１０５】
次に、画像読取装置８２０について説明する。図１６は、画像読取装置８２０の機能的な構成を示すブロック図である。同図に示すように、画像読取装置８２０は、画像読取部８２１と、ネットワーク処理部８２２、通信監視部８２３、節電制御部８２４、受電部８２５、給電部８２６を具備して構成される。
【０１０６】
画像読取部８２１は、原稿を光学的に読み取って得た光信号を電気信号に変換して画像データを生成する。ネットワーク処理部８２２は、画像読取装置８２０が接続されるネットワーク（ネットワーク７７１に対応する）とのインタフェイスとして動作するとともに、通信内容に応じて画像読取部８２１と節電制御部８２４とでデータの授受先を切り換える。この切り換えは、例えば、画像読取部８２１と節電制御部８２４に異なるポートを割り当てることで行われる。
【０１０７】
通信監視部８２３は、ネットワーク処理部８２２から送受信される通信内容を監視するもので、一般にパケットモニタと称されるものと同様の機能を提供する。節電制御部８２４は、通信監視部８２３が監視している通信内容と、画像形成装置８３０から取得する情報に基づいて、画像形成装置８３０に対する節電制御を実行する。
【０１０８】
受電部８２５は、電源８４０から受電した電力を画像読取装置８２０で利用する電力と画像形成装置８３０に供給する電力とに分電する。給電部８２６は、節電制御部８２４の指示に従って、受電部８２５が分電した電力を画像形成装置８３０へ給電するスイッチとして動作する。
【０１０９】
次に、画像読取装置８２０の動作について説明するが、画像読取装置８２０の動作は、実施例１で説明した画像読取装置２０の動作と共通点が多いため、図３および図４を流用して説明を行う。ただし、同図中における情報処理装置１０、画像読取装置２０、画像形成装置３０は、それぞれ、情報処理装置８１０、画像読取装置８２０、画像形成装置８３０に読み替えるものとする。
【０１１０】
画像読取装置８２０では、節電制御部８２４が、節電移行条件が成立したと判断すると（図３のステップ１０１でＹＥＳ）、節電制御部８２４は、画像形成装置８３０に対して状態通知要求を送出する（図３のステップ１０２、図４のステップ１２１）。節電移行条件は、画像形成装置８３０を節電状態へ移行するか否かを判断するための条件で、例えば、画像形成装置８３０が一定時間アイドル状態であることで、これを情報処理装置８１０から画像形成装置８３０への通信が一定時間無いことと同意として通信監視部８２３の監視結果から当該状態を検知する。
【０１１１】
次に、節電制御部８２４が画像形成装置８３０へ送出した状態通知要求に応じて、画像形成装置８３０が状態通知を返すと（図４のステップ１２２）、節電制御部８２４がこれを受信する（図３のステップ１０３でＹＥＳ）。画像形成装置８３０が返した状態通知が、画像形成装置８３０がジョブの実行中であることを示している場合には、画像形成装置８３０の電源を遮断することは不可能であるため（図３のステップ１０４でＮＯ）、画像読取装置８２０は、再度、節電移行条件が成立するのを待つ。
【０１１２】
そして、節電制御部８２４が、節電移行条件が成立したと判断すると（図３のステップ１０１でＹＥＳ）、節電制御部８２４は、画像形成装置８３０に対して状態通知要求を送出する（図３のステップ１０２、図４のステップ１２３）。そして、この状態通知要求に応じて、画像形成装置８３０が状態通知を返すと（図４のステップ１２４）、節電制御部８２４がこれを受信する（図３のステップ１０３でＹＥＳ）。画像形成装置８３０が返した状態通知が、画像形成装置８３０がジョブを実行していないことを示している場合には、画像形成装置８３０の電源を遮断することが可能であるため（図３のステップ１０４でＹＥＳ）、節電制御部８２４は、給電部８２６に画像形成装置８３０への給電を停止するよう指示し、給電部８２６が画像形成装置８３０への給電を停止する（図３のステップ１０５）。
【０１１３】
その後、節電制御部８２４は、通信監視部８２３の監視結果から、情報処理装置８１０から画像形成装置８３０への通信があったことを検知すると、例えば、情報処理装置８１０が画像形成装置８３０へ印刷要求を送信すると（図４のステップ１２５）、通信監視部８２３の監視結果から節電制御部８２４がこれを検知する（図３のステップ１０６でＹＥＳ）。そして、節電制御部８２４は、給電部８２６に画像形成装置８３０への給電を再開するよう指示し、給電部８２６が画像形成装置８３０への給電を再開する（図３のステップ１０７）。画像形成装置８３０への給電が再開されると、情報処理装置８１０から画像形成装置８３０への印刷要求が、画像形成装置８３０へ送信される（図４のステップ１２６）。
【０１１４】
また、給電部８２６が画像形成装置８３０への給電を停止している状態で、画像読取部８２１で生成した画像データを画像形成装置８３０へ送出して印刷出力させる複写処理が指示された場合には、通信監視部８２３の監視結果から節電制御部８２４がこれを検知し（図３のステップ１０６でＮＯおよびステップ１０８でＹＥＳ）、給電部８２６に画像形成装置８３０への給電を再開するよう指示し、給電部８２６が画像形成装置８３０への給電を再開する（図３のステップ１０７）。
【図面の簡単な説明】
【０１１５】
【図１】実施例１における画像読取装置と画像形成装置の接続構成を示した図である。
【図２】画像読取装置２０の機能的な構成を示すブロック図である。
【図３】画像読取装置２０の動作の流れを示すフローチャートである。
【図４】情報処理装置１０と画像読取装置２０と画像形成装置３０との間の通信の流れを示した図である。
【図５】画像読取装置２２０の機能的な構成を示すブロック図である。
【図６】画像読取装置２２０の動作の流れを示すフローチャートである。
【図７】情報処理装置２１０と画像読取装置２２０と画像形成装置２３０との間の通信の流れを示した図である。
【図８】情報処理装置２１０と画像読取装置２２０と画像形成装置２３０との間の通信の流れを示した図である。
【図９】実施例３における画像読取装置と画像形成装置の接続構成を示した図である。
【図１０】画像読取装置４２０の機能的な構成を示すブロック図である。
【図１１】実施例４における画像読取装置と画像形成装置の接続構成を示した図である。
【図１２】画像読取装置５２０の機能的な構成を示すブロック図である。
【図１３】画像読取装置６２０の機能的な構成を示すブロック図である。
【図１４】実施例６における画像読取装置と画像形成装置の接続構成を示した図である。
【図１５】画像読取装置７２０の機能的な構成を示すブロック図である。
【図１６】画像読取装置８２０の機能的な構成を示すブロック図である。
【符号の説明】
【０１１６】
１０    情報処理装置
２０    画像読取装置
２１    画像読取部
２２    通信部
２３    通信制御部
２４    通信部
２５    装置状態取得部
２６    節電制御部
２７    受電部
２８    給電部
３０    画像形成装置
４０    電源
５１    ケーブル
５２    ケーブル
６１    電力ケーブル
６２    電力ケーブル
２１０    情報処理装置
２２０    画像読取装置
２２１    画像読取部
２２２    通信部
２２３    通信制御部
２２４    通信部
２２５    装置状態取得部
２２６    節電制御部
２２７    装置状態通知部
２２８    受電部
２２９    給電部
２３０    画像形成装置
２４０    電源
４１０、４１０−１〜４１０−３    情報処理装置
４２０    画像読取装置
４２１    画像読取部
４２２    ネットワーク処理部
４２３    サーバ処理部
４２４    通信部
４２５    装置状態管理部
４２６    節電制御部
４２７    受電部
４２８    給電部
４３０    画像形成装置
４４０    電源
４５１    ケーブル
４６１    電力ケーブル
４６２    電力ケーブル
４７１    ネットワーク
５１０、５１０−１〜５１０−３    情報処理装置
５２０    画像読取装置
５２１    画像読取部
５２２    ネットワーク処理部
５２３    サーバ処理部
５２４    ネットワーク処理部
５２５    装置状態管理部
５２６    節電制御部
５２７    受電部
５２８    給電部
５３０    画像形成装置
５４０    電源
５６１    電力ケーブル
５６２    電力ケーブル
５７１    ネットワーク
５７２    ネットワーク
６１０    情報処理装置
６２０    画像読取装置
６２１    画像読取部
６２２    ネットワーク処理部
６２３    リピータ処理部
６２４    通信監視部
６２５    節電制御部
６２６    受電部
６２７    給電部
６３０    画像形成装置
６４０    電源
７１０、７１０−１〜７１０−３    情報処理装置
７２０    画像読取装置
７２１    画像読取部
７２２    ネットワーク処理部
７２３    サーバ処理部
７２４    装置状態管理部
７２５    節電制御部
７２６    受電部
７２７    給電部
７３０    画像形成装置
７４０    電源
７６１    電力ケーブル
７６２    電力ケーブル
７７１    ネットワーク
８１０    情報処理装置
８２０    画像読取装置
８２１    画像読取部
８２２    ネットワーク処理部
８２３    通信監視部
８２４    節電制御部
８２５    受電部
８２６    給電部
８３０    画像形成装置
８４０    電源
【図１】
2007060374.tif 000003
【図２】
2007060374.tif 000004
【図３】
2007060374.tif 000005
【図４】
2007060374.tif 000006
【図５】
2007060374.tif 000007
【図６】
2007060374.tif 000008
【図７】
2007060374.tif 000009
【図８】
2007060374.tif 000010
【図９】
2007060374.tif 000011
【図１０】
2007060374.tif 000012
【図１１】
2007060374.tif 000013
【図１２】
2007060374.tif 000014
【図１３】
2007060374.tif 000015
【図１４】
2007060374.tif 000016
【図１５】
2007060374.tif 000017
【図１６】
2007060374.tif 000018